(57)【要約】【課題】インフラストラクチャーモードの無線通信環境で、複数の子機に対して最適な親機の配置位置を容易に見つけることができる無線機器を提供することを目的とする。【解決手段】配置位置を決めるために１以上の位置に移動される無線機器１０であって、１以上の位置それぞれにおいて、無線機器１０の子機として登録されている複数の機器に応答要求信号を発信する発信部１０１と、複数の機器それぞれからの応答信号を受信する受信部１０３と、受信部１０３で受信した応答信号の電波強度を検出する検出部１０４と、１以上の位置それぞれにおいて検出部１０４が検出した電波強度のうち少なくとも一の電波強度であって上記１以上の位置それぞれでの一の電波強度を通知する通知部１０５と、を備える。【選択図】図２
2015119268.tif 000002
【特許請求の範囲】
【請求項１】
配置位置を決めるために１以上の位置に移動される無線機器であって、
前記１以上の位置それぞれにおいて、前記無線機器の子機として登録されている複数の機器に応答要求信号を発信する発信部と、
前記複数の機器それぞれからの応答信号を受信する受信部と、
前記受信部で受信した応答信号の電波強度を検出する検出部と、
前記１以上の位置それぞれにおいて前記検出部が検出した前記電波強度のうち少なくとも一の電波強度であって前記１以上の位置それぞれでの一の電波強度を通知する通知部と、を備える、
無線機器。
【請求項２】
前記通知部は、
前記１以上の位置それぞれにおいて前記検出部が検出した電波強度のうち、最も小さい電波強度を通知する、
請求項１に記載の無線機器。
【請求項３】
前記無線機器は、ＩＥＥＥ８０２．１１を使用しており、
前記発信部は、前記複数の機器のうち、一の機器を除く他の機器に、デュレーション時間を設定して前記応答要求信号を発信することを繰り返すことにより、前記複数の機器に前記応答要求信号を発信する、
請求項１または２に記載の無線機器。
【請求項４】
前記応答要求信号は、ビーコン信号である
請求項３に記載の無線機器。
【請求項５】
前記複数の機器それぞれには、さらに、優先度が設定され、
前記通知部は、前記１以上の位置それぞれにおいて前記検出部が検出した前記電波強度のうちの前記優先度が閾値以上の機器からの電波強度の中で、少なくとも一の電波強度であって前記１以上の位置それぞれでの一の電波強度を通知する、
請求項１〜４のいずれか１項に記載の無線機器。
【請求項６】
前記通知部は、前記１以上の位置それぞれにおいて、
ＬＥＤを列状に並べた表示器であるバー表示器に、前記検出部が検出した前記電波強度のうち、最も小さい電波強度に対応するレベルの長さを表示させることで、前記最も小さい電波強度を通知する、
請求項１〜５のいずれか１項に記載の無線機器。
【請求項７】
前記通知部は、
前記１以上の位置それぞれにおいて前記検出部が検出した前記電波強度のうちの一の電波強度を表示器に通知することで、前記表示器に前記１以上の位置それぞれにおける前記一の電波強度を表示させる、
請求項１〜５のいずれか１項に記載の無線機器。
【請求項８】
前記表示器は、
前記無線機器に構成されている、
請求項７に記載の無線機器。
【請求項９】
さらに、前記１以上の位置それぞれにおいて前記検出部が検出した前記電波強度を保持する保持部と、
前記１以上の位置それぞれで前記１以上の位置それぞれに関する画像を撮影する撮影部と、を備え、
前記通知部は、前記保持部に保持された電波強度とともに、前記撮影部で撮影された前記１以上の位置それぞれに関する画像を、表示器に通知することで、前記表示器に、前記１以上の位置それぞれでの電波強度と前記１以上の位置のうちの一の位置に関する画像とを表示させる、
請求項１〜５のいずれか１項に記載の無線機器。
【請求項１０】
前記表示器は、
前記無線機器の配置位置を決めるための情報として、前記１以上の位置それぞれにおける前記検出部が検出した電波強度のうち最も小さい電波強度の中で、極大値を示す電波強度に対応する位置に関する画像を表示する、
請求項９に記載の無線機器。
【請求項１１】
さらに、加速度センサおよびジャイロセンサと、
前記加速度センサおよびジャイロセンサを用いて、前記１以上の位置それぞれを推定する位置推定部と、
前記１以上の位置それぞれにおいて前記検出部が検出した前記電波強度を保持する保持部と、を備え、
前記通知部は、前記保持部に保持された電波強度とともに、前記位置推定部で推定された前記１以上の位置それぞれを、表示器に通知することで、前記表示器に、前記１以上の位置それぞれでの電波強度と、前記１以上の位置を含む軌跡とを表示させる、
請求項１〜５のいずれか１項に記載の無線機器。
【請求項１２】
前記表示器は、
前記無線機器の配置位置を決めるための情報として、前記１以上の位置それぞれにおける前記検出部が検出した電波強度のうち最も小さい電波強度の中で、極大値を示す電波強度とともに、前記極大値を示す電波強度に対応する軌跡の位置を指し示す、
請求項１１に記載の無線機器。
【発明の詳細な説明】
【技術分野】
【０００１】
本発明は、無線機器に関し、特に配置位置を決めるために１以上の位置に移動される無線機器に関する。
【背景技術】
【０００２】
無線通信の規格として、ＩＥＥＥ８０２．１１（ａ／ｂ／ｇ／ｎ）がある。
【０００３】
アクセスポイントとなる無線機器すなわち、複数の子機（クライアント機器）をネットワークに接続するために電波を受ける親機となる無線機器は、例えばＩＥＥＥ８０２．１１（ａ／ｂ／ｇ／ｎ）の規格の下、親機としての自分の存在を示すパケット信号（ビーコン信号）を定期的に送信する。ＩＥＥＥ８０２．１１（ａ／ｂ／ｇ／ｎ）の規格では、このビーコン信号の送信間隔は通常１００ｍｓ以下で設定され、子機もしくは自分以外の親機のノードは親機が送ったビーコン信号を受信することができる。子機はビーコン信号を受信すると親機との通信を開始する。子機が複数存在する場合、親機に対して一番早く通信できた子機が通信可能となる。
【０００４】
通信開始の最も重要な要素のひとつとして、電波環境がある。全てのノード（親機と子機）は、電波環境を知る手段として、例えばＲＳＳＩ（Received Signal Strength Indication, Received Signal Strength Indicator）回路など、無線のＲＦ信号の入力レベルを測定する手段を有する。しかし、受信した入力レベルを自分以外のノードに対して伝える方法は、ＩＥＥＥ８０２．１１（ａ／ｂ／ｇ／ｎ）の規格では用意されておらず、自分の送った信号がどのレベルで相手に伝わったかを知ることができない。そのため、通信するための電波環境を知ることができない。
【０００５】
それに対して、例えば特許文献１では、電波環境を確認する技術が提案されている。
【先行技術文献】
【特許文献】
【０００６】
【特許文献１】特開２００６−８６７８２号公報
【発明の概要】
【発明が解決しようとする課題】
【０００７】
しかしながら、上記特許文献１では、１対１で通信することにより電波環境を確認する技術が開示されているに過ぎず、親機と複数の子機とが接続する環境では、ペア同士（親機と一つの子機）で個別に電波環境を確認していく必要がある。そのため、複数の子機に対して最適な親機の配置位置を見つけるには非常に手間がかかる。
【０００８】
本発明は、上述の事情を鑑みてなされたもので、インフラストラクチャーモードの無線通信環境で、複数の子機に対して最適な親機の配置位置を容易に見つけることができる無線機器を提供することを目的とする。
【課題を解決するための手段】
【０００９】
上記目的を達成するために、本発明の一態様に係る無線機器は、配置位置を決めるために１以上の位置に移動される無線機器であって、前記１以上の位置それぞれにおいて、前記無線機器の子機として登録されている複数の機器に応答要求信号を発信する発信部と、前記複数の機器それぞれからの応答信号を受信する受信部と、前記受信部で受信した応答信号の電波強度を検出する検出部と、前記１以上の位置それぞれにおいて前記検出部が検出した前記電波強度のうち少なくとも一の電波強度であって前記１以上の位置それぞれでの一の電波強度を通知する通知部と、を備える。
【００１０】
この構成により、電波強度のうちの一つの電波強度であって１以上の位置それぞれでの電波強度が通知されるので、インフラストラクチャーモードの無線通信環境で、複数の子機に対する親機の最適な配置位置を容易に見つけることができる。
【００１１】
ここで、好ましくは、前記通知部は、前記１以上の位置それぞれにおいて前記検出部が検出した電波強度のうち、最も小さい電波強度を通知する。
【００１２】
この構成により、電波強度のうち、最も小さい電波強度であって１以上の位置それぞれでの電波強度が通知されるので、インフラストラクチャーモードの無線通信環境で、複数の子機に対して最適な親機の配置位置を容易に見つけることができる。
【００１３】
また、例えば、前記無線機器は、ＩＥＥＥ８０２．１１を使用しており、前記発信部は、前記複数の機器のうち、一の機器を除く他の機器に、デュレーション時間を設定して前記応答要求信号を発信することを繰り返すことにより、前記複数の機器に前記応答要求信号を発信するとしても良い。
【００１４】
これにより、規格上、受信した入力レベルを自分以外のノードに対して伝える方法が用意されていないのにかかわらず、親機である無線機器は、複数の機器（子機）それぞれからの応答信号から、複数の機器それぞれの電波環境を知ることができる。
【００１５】
ここで、例えば、前記応答要求信号は、ビーコン信号である。
【００１６】
また、例えば、前記複数の機器それぞれには、さらに、優先度が設定され、前記通知部は、前記１以上の位置それぞれにおいて前記検出部が検出した前記電波強度のうちの前記優先度が閾値以上の機器からの電波強度の中で、少なくとも一の電波強度であって前記１以上の位置それぞれでの一の電波強度を通知するとしても良い。
【００１７】
また、例えば、前記通知部は、前記１以上の位置それぞれにおいて、ＬＥＤを列状に並べた表示器であるバー表示器に、前記検出部が検出した前記電波強度のうち、最も小さい電波強度に対応するレベルの長さを表示させることで、前記最も小さい電波強度を通知するとしても良い。
【００１８】
これにより、電波強度のうちの一つの電波強度であって１以上の位置それぞれにおいて、電波強度が通知されるので、ユーザは複数の子機に対する親機の最適な配置位置を容易に見つけることができる。
【００１９】
また、例えば、前記通知部は、前記１以上の位置それぞれにおいて前記検出部が検出した前記電波強度のうちの一の電波強度を表示器に通知することで、前記表示器に前記１以上の位置それぞれにおける前記一の電波強度を表示させるとしても良い。
【００２０】
これにより、電波強度のうちの一つの電波強度であって１以上の位置それぞれにおける電波強度が通知されるので、ユーザは複数の子機に対する親機の最適な配置位置を容易に見つけることができる。
【００２１】
ここで、例えば、前記表示器は、前記無線機器に構成されているとしても良い。
【００２２】
また、例えば、さらに、前記１以上の位置それぞれにおいて前記検出部が検出した前記電波強度を保持する保持部と、前記１以上の位置それぞれで前記１以上の位置それぞれに関する画像を撮影する撮影部と、を備え、前記通知部は、前記保持部に保持された電波強度とともに、前記撮影部で撮影された前記１以上の位置それぞれに関する画像を、表示器に通知することで、前記表示器に、前記１以上の位置それぞれでの電波強度と前記１以上の位置のうちの一の位置に関する画像とを表示させるとしても良い。
【００２３】
これにより、電波強度のうちの一つの電波強度であって１以上の位置それぞれにおける電波強度が通知され、また、１以上の位置に関する画像が選択により表示できるので、ユーザは複数の子機に対する親機の最適な配置位置を容易に見つけることができる。
【００２４】
ここで、例えば、前記表示器は、前記無線機器の配置位置を決めるための情報として、前記１以上の位置それぞれにおける前記検出部が検出した電波強度のうち最も小さい電波強度の中で、極大値を示す電波強度に対応する位置に関する画像を表示するとしても良い。
【００２５】
また、例えば、さらに、加速度センサおよびジャイロセンサと、前記加速度センサおよびジャイロセンサを用いて、前記１以上の位置それぞれを推定する位置推定部と、前記１以上の位置それぞれにおいて前記検出部が検出した前記電波強度を保持する保持部と、を備え、前記通知部は、前記保持部に保持された電波強度とともに、前記位置推定部で推定された前記１以上の位置それぞれを、表示器に通知することで、前記表示器に、前記１以上の位置それぞれでの電波強度と、前記１以上の位置を含む軌跡とを表示させるとしてても良い。
【００２６】
これにより、電波強度のうちの一つの電波強度であって１以上の位置それぞれにおける電波強度が通知され、また、１以上の位置に関する軌跡の位置が選択により表示できるので、ユーザは複数の子機に対する親機の最適な配置位置を容易に見つけることができる。
【００２７】
また、例えば、前記表示器は、前記無線機器の配置位置を決めるための情報として、前記１以上の位置それぞれにおける前記検出部が検出した電波強度のうち最も小さい電波強度の中で、極大値を示す電波強度とともに、前記極大値を示す電波強度に対応する軌跡の位置を指し示すとしても良い。
【発明の効果】
【００２８】
本発明によれば、インフラストラクチャーモードの無線通信環境で、複数の子機に対して最適な親機の配置位置を容易に見つけることができる無線機器を実現できる。
【図面の簡単な説明】
【００２９】
【図１】実施の形態１に係る空間環境における無線機器と複数の機器の配置位置の一例を示す図ある。
【図２】実施の形態１に係る無線機器の構成の一例を示す図である。
【図３Ａ】ＲＴＳのフレームフォーマットの一例を示す図である。
【図３Ｂ】ＣＴＳのフレームフォーマットの一例を示す図である。
【図４】実施の形態１に係る無線機器と複数の機器との接続構成の一例を示す図である。
【図５】実施の形態１に係る複数の機器の接続機器リストの一例を示す図である。
【図６】実施の形態１に係るバー表示器とその通知例を示す図である。
【図７】実施の形態２に係る表示装置の構成の一例を示す図である。
【図８】実施の形態２に係る表示装置の通知例を示す図である。
【図９】実施の形態３に係る表示装置の通知例を示す図である。
【図１０】実施の形態４に係る無線機器の構成の一例を示す図である。
【図１１】実施の形態４に係る表示装置の通知例を示す図である。
【図１２】実施の形態５に係る無線機器の構成の一例を示す図である。
【図１３】実施の形態５に係るセンサ部の詳細構成の一例を示す図である。
【図１４】実施の形態５に係る表示装置の通知例を示す図である。
【図１５】他の実施の形態に係る表示装置の通知例を示す図である。
【図１６】他の実施の形態に係る表示装置の通知例を示す図である。
【図１７】他の実施の形態に係る表示装置の通知例を示す図である。
【発明を実施するための形態】
【００３０】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３１】
（実施の形態１）
図１は、実施の形態１に係る空間環境における無線機器と複数の機器の配置位置の一例を示す図ある。
【００３２】
図１には、屋内などの空間１に、ＴＶ１１、ＳＴＢ（Ｓｅｔ  Ｔｏｐ  Ｂｏｘ）１２、ノートＰＣ１３、プリンター１４および携帯端末１５などの複数の機器が配置され、それらの親機として配置される無線機器１０が示されている。
【００３３】
無線機器１０は、複数の無線通信（無線ＬＡＮ）を有し、ＴＶ１１、ＳＴＢ１２、ノートＰＣ１３およびプリンター１４といった子機とインフラストラクチャーモードで安定的な接続を維持するべく配置位置が決定される。
【００３４】
これは、機器（子機）によっては容易に移動できないものもあり、空間１の空間構造によっては、空間１における位置により接続維持ができないまたは接続状態が悪い場合があるからである。つまり、本実施の形態では、上記理由から子機ではなく親機である無線機器１０の配置位置を変更することで無線接続の品質を確保する。なお、携帯端末１５は、必要に応じて親機である無線機器１０と接続され、かつ、移動が容易であることから、無線機器１０の配置位置を決定するのには用いられないとして、以下説明する。
【００３５】
［無線機器の構成］
図２は、実施の形態１に係る無線機器の構成の一例を示す図である。図３ＡはＲＴＳのフレームフォーマットの一例を示す図であり、図３ＢはＣＴＳのフレームフォーマットの一例を示す図である。図４は、実施の形態１に係る無線機器と複数の機器との接続構成の一例を示す図である。図５は、実施の形態１に係る複数の機器の接続機器リストの一例を示す図である。図６は、実施の形態１に係るバー表示器とその通知例を示す図である。
【００３６】
図２に示す無線機器１０は、配置位置を決定するために１以上の位置に移動される。無線機器１０は、発信部１０１と、デュレーション設定部１０２と、受信部１０３と、検出部１０４と、通知部１０５と、保持部１０６とを備える。
【００３７】
ここで、無線機器１０は、ＩＥＥＥ８０２．１１を使用してインフラストラクチャーモードで通信し、無線機器１０がアクセスポイントとして働く通常動作モードに加えて、インフラストラクチャーモード下で配置位置を決めるため配置位置決定モードがあるとする。
【００３８】
本実施の形態では、ＩＥＥＥ８０２．１１の規格で用意されている２つの機能を使用して通常動作モードと配置位置決定モードとを実行する。
【００３９】
より具体的には、ＩＥＥＥ８０２．１１の規格では応答要求（Ｂｅａｃｏｎ）信号を１００ｍｓ以下で親機が発信し、子機は返答する通信がある。この機能を通常動作モードとして使用することができる。また、ＩＥＥＥ８０２．１１の規格では、無線端末の距離や電波を通さない障害物などの影響により、互いの無線信号が到達しない状態（キャリアセンスが機能しない伝搬環境）が起こりえる。ＩＥＥＥ８０２．１１の規格では、この状態(隠れ端末問題）を解決するために、例えば、図３Ａおよび図３Ｂに示すフレームフォーマットにより、ＲＴＳ（Ｒｅｑｕｅｓｔ  ｔｏ  Ｓｅｎｄ：送信要求）／ＣＴＳ（Ｃｌｅａｒ  ｔｏ  Ｓｅｎｄ：受信準備完了）と呼ばれる対策が定義されている。図３Ａおよび図３Ｂに示す上段の数値は、バイト数を示しており、数値の長さで対策の定義がなされることを示している。ＲＴＳ／ＣＴＳのフレームフォーマットは、伝えたい相手のアドレスを記載する構成になっており、子機を指定して通信させることができる。この構成を配置位置決定モードに利用することができる。
【００４０】
以下では、配置位置決定モードに関係する無線機器１０の構成および動作について説明をする。
【００４１】
発信部１０１は、１以上の位置それぞれにおいて、無線機器１０の子機として登録されている複数の機器に応答要求信号をインフラストラクチャーモードで発信する。ここで、応答要求信号とは、典型的にはビーコン信号である。発信部１０１は、複数の機器のうち、一の機器を除く他の機器に、デュレーション設定部１０２により設定されたデュレーション時間を付与して、発信部１０１が応答要求信号を発信することを繰り返すことにより、１以上の位置それぞれにおいて複数の機器に応答要求信号を発信する。
【００４２】
本実施の形態では、複数の機器とは、例えば図１に示すＴＶ１１、ＳＴＢ１２、ノートＰＣ１３およびプリンター１４といった子機である。また、本実施の形態の１以上の位置は、ビーコン信号を発信した時間を時系列にグラフ化することで、時間と関連付けられた位置であって特定される位置でもある。
【００４３】
デュレーション設定部１０２は、後述する保持部１０６に保持されている機器リストに従って、複数の機器のうち、一の機器を除く他の機器に発信部１０１が発信する応答要求信号にデュレーション時間を設定する。本実施の形態では、デュレーション設定部１０２は、電波強度を確認したい子機以外にあらかじめデュレーション時間を設定し、発信部１０１に応答要求信号を発信させることで、電波強度を確認したい子機だけ先に親機に送信させることができる。
【００４４】
そして、デュレーション設定部１０２は、その一の機器を発信部１０１が応答要求信号を発信する送信間隔ごとに変更する。それにより、受信部１０３は、すべての子機に順に応答信号を受信することができる。
【００４５】
受信部１０３は、複数の機器それぞれからの応答信号を受信する。本実施の形態では、受信部１０３は、図１に示すＴＶ１１、ＳＴＢ１２、ノートＰＣ１３およびプリンター１４といった子機それぞれからの応答信号を受信する。
【００４６】
検出部１０４は、例えばＲＳＳＩ回路を有し、受信部１０３で受信した応答信号の電波強度を検出する。本実施の形態では、検出部１０４は、図１に示すＴＶ１１、ＳＴＢ１２、ノートＰＣ１３およびプリンター１４といった子機それぞれからの応答信号の電波強度を検出する。
【００４７】
通知部１０５は、１以上の位置それぞれにおいて検出部１０４が検出した電波強度のうちの少なくとも一の電波強度であって１以上の位置それぞれでの一の電波強度を通知する。本実施の形態では、通知部１０５は、１以上の位置それぞれにおいて検出部１０４が検出した電波強度のうち、最も小さい電波強度を通知する。より具体的には、通知部１０５は、１以上の位置それぞれにおいて、図６に示すＬＥＤ１６１を列状に並べた表示器であるバー表示器１６に、検出部１０４が検出した電波強度のうち、最も小さい電波強度を通知することで、バー表示器１６に通知した電波強度に対応するレベルの長さを表示させる。それにより、通知部１０５は、最も小さい電波強度をユーザに通知することができる。なお、本実施の形態では、バー表示器１６は、無線機器１０とは別体であり、無線機器１０と接続されているとして説明している。
【００４８】
保持部１０６は、例えば、図４に示す接続構成図または図５に示す接続機器リストを機器リストとして保持する。ここで、図４または図５に示す例では、本実施の形態の説明の便宜上、品名を含めているが、実際には表示されない場合も多い。Ｄｅｖｉｃｅ  ｎａｍｅはユーザもしくは製造者が登録していれば表示され、子機（機器）のＭＡＣアドレスは親機（無線機器）に必ず通知されるので表示される。もちろん、図４および図５に示す表示内容はこれら項目に限定されない。また、図５では、接続維持欄を設け、接続維持を期待する子機を○とし、接続維持を期待させないものを×として登録している。
【００４９】
なお、図４および図５に示す機器リストは、無線機器１０に無線接続もしくは有線（ＬＡＮ、ＵＳＢ、ＲＳ−２３２Ｃ等）接続した設定用のＰＣで表示させた上で編集するとしてもよい。また、無線機器１０が表示部（不図示）を有し、この表示部に表示させた上で機器リストを編集するとしてもよい。
【００５０】
［効果］
以上のように構成された無線機器１０によれば、インフラストラクチャーモードの無線通信環境で、安定的な接続維持を期待する複数の子機に対する親機の最適な配置位置をユーザが容易に見つけることができる。
【００５１】
ＩＥＥＥ８０２．１１の規格では応答要求信号（ビーコン信号）を１００ｍｓ以下で親機である無線機器１０が発信し、子機（機器）は応答信号を送信する。通常動作モードでは、応答要求信号（ビーコン信号）を受けた子機はすぐに応答信号を送信（返信）するが、無線機器１０は、応答信号を送信した子機のうち、無線機器１０に最も早く応答信号が到達した子機とのみ通信する。
【００５２】
一方、本実施の形態における配置位置決定モードでは、例えば図５に示すように子機（機器）の機器リストが保持部に保持（登録）されていれば、無線機器１０は電波強度を確認したい子機以外にあらかじめデュレーション時間を与えて応答要求信号を発信する。デュレーション時間が与えられた子機は返信（送信）がデュレーション時間だけ遅くなるので無線機器１０と通信できないが、デュレーション時間が与えられない子機は無線機器１０と通信できる。つまり、無線機器１０は、電波強度を確認したい子機以外にあらかじめデュレーション時間を与えて応答要求信号を発信することで、電波強度を確認したい子機だけに無線機器１０に返信させることができる。それにより応答信号を受信した子機を特定できるので、親機は、特定した子機の応答信号の電波強度を検出することができる。このようにして、無線機器１０は、すべての子機それぞれを特定した上で電波強度を検出することができる。
【００５３】
そして、本実施の形態では、図６に示すバー表示器１６により、１以上の位置それぞれにおいて、検出部１０４が検出した電波強度のうち、最も小さい電波強度に対応するレベルの長さ（受信レベル）を表示させる。それにより、ユーザは親機の１以上の位置それぞれにおいて、すべての子機の応答信号の電波強度のうち最も低い電波強度（受信レベル）を知ることができるので、ユーザは、１以上の位置の中で、バー表示器１６により最も高く受信レベルが表示された位置を親機の最適な配置位置として決定することができる。
【００５４】
このようにして、ユーザは、無線機器１０を移動した位置それぞれにおいて子機の電波環境を知ることができるので、各位置における複数の子機の電波強度のうち最も低い電波強度に基づいて、インフラストラクチャーモードの無線通信環境で、安定的な接続維持を期待する複数の子機に対して最適な親機（無線機器１０）の配置位置を容易に見つけることができる。
【００５５】
なお、映像の配信を主とする子機（機器）がある場合には、電波強度が他の子機（機器）よりも必要でなる。その場合、例えば、図５に示す機器リストにそれぞれ優先度を設定するとよい。すなわち、複数の子機（機器）それぞれは、さらに、優先度が設定されるとしてもよい。換言すると、通知部１０５は、１以上の位置それぞれにおいて検出部１０４が検出した電波強度のうちの優先度が閾値以上の子機（機器）からの電波強度の中で、少なくとも一の電波強度であって１以上の位置それぞれでの一の電波強度を通知するとしてもよい。それにより、優先度が高い子機（機器）または優先度が高い子機（機器）のグループの電波強度が有利になる（電波強度がより大きくなる）親機（無線機器１０）の配置位置を容易に見つけることができる。
【００５６】
（実施の形態２）
実施の形態１では、ユーザが子機の電波環境を知る方法として、バー表示器１６を用いる場合を説明したが、それに限らない。本実施の形態では、ＰＣ等の表示装置２６を用いてユーザが子機の電波環境を知る方法について説明する。
【００５７】
本実施の形態に係る無線機器１０は、実施の形態１に係る無線機器１０に対して、通知部１０５Ａ（不図示）の通知方法が異なる。すなわち、本実施の形態では、通知部１０５Ａは、１以上の位置それぞれにおいて検出部１０４が検出した電波強度のうちの一の電波強度を表示装置２６に通知することで、表示装置２６に１以上の位置それぞれにおける電波強度のうちの一の電波強度を表示させる。典型的には、通知部１０５Ａは、１以上の位置それぞれにおいて検出部１０４が検出した電波強度のうち、最も小さい電波強度を通知する。
【００５８】
なお、その他の構成は、実施の形態１と同様であるので、説明は省略する。
【００５９】
［表示装置の構成］
図７は、実施の形態２に係る表示装置の構成の一例を示す図である。図８は、実施の形態２に係る表示装置の通知例を示す図である。
【００６０】
図７に示す表示装置２６は、表示部２６１と、演算部２６２とを備える。
【００６１】
表示部２６１は、本実施の形態の無線機器１０（通知部１０５Ａ）により、１以上の位置それぞれにおいて無線機器１０（検出部１０４）が検出した電波強度のうちの最も小さい電波強度が通知され、１以上の位置それぞれにおける電波強度のうち最も小さい電波強度を表示する。
【００６２】
より具体的には、図８に示すように、表示部２６１は、親機である無線機器１０の１以上の位置それぞれ（図ではＡ〜Ｅ）において、すべての子機の応答信号の電波強度のうち最も低い電波強度を表示する。
【００６３】
なお、表示装置２６無線機器１０（通知部１０５Ａ）により、１以上の位置それぞれにおいて無線機器１０（検出部１０４）が検出した電波強度が一括して通知されるとしてもよい。その場合、演算部２６２は、１以上の位置それぞれにおいて無線機器１０（検出部１０４）が検出した電波強度のうちで最も小さい電波強度（図でＡ〜Ｅ）を演算した上で、表示部２６１に表示させればよい。ここで、演算部２６２は、通知部１０５Ａより一括して通知されたもののなかでユーザにより指定された複数の位置（例えばＡ〜Ｅ）における最も小さい電波強度を表示部２６１に表示させるとしてもよい。
【００６４】
［効果］
以上のように、ユーザは、表示部２６１により、無線機器１０を移動した複数の位置における子機の電波環境（最も低い電波強度）を知ることができる。そのため、表示された複数の位置での子機の電波環境を比較することで、安定的な接続維持を期待する複数の子機に対する親機（無線機器１０）の最適な配置位置を容易に見つけることができる。
【００６５】
より具体的には、ユーザは、図８に示すように、表示部２６１により、親機の１以上の位置それぞれにおいて、すべての子機の応答信号の電波強度のうち最も低い電波強度を知ることができるので、複数の位置の中で、最も高い電波強度が表示された位置（図で位置Ｂ）を親機の最適な配置位置として決定することができる。
【００６６】
このようにして、ユーザは、無線機器１０を移動した複数の位置における子機の電波環境を知ることができるので、各位置における複数の子機の電波強度のうち最も低い電波強度に基づいて、インフラストラクチャーモードの無線通信環境で、安定的な接続維持を期待する複数の子機に対して最適な親機（無線機器１０）の配置位置を容易に見つけることができる。
【００６７】
なお、本実施の形態では、無線機器１０とは別の表示装置２６が有する表示部２６１を用いるとして説明したがそれに限らない。例えば、無線機器１０が表示部２６１を備えるとしてもよい。また、その場合に、無線機器１０に、ユーザの好みの位置で子機の中で最低電波レベルを記録できるようにボタン等を用意し、ボタンが押された位置での子機の電波環境を表示部２６１に表示させるとしてもよい。
【００６８】
（実施の形態３）
実施の形態１および実施の形態２では、１以上の位置それぞれにおいて検出部１０４が検出した電波強度のうちの一つをユーザに通知する方法について説明したが、それに限らない。本実施の形態では、１以上の位置それぞれについて検出部１０４が検出した電波強度すべてをユーザに通知する場合の例について説明する。
【００６９】
図９は、実施の形態３に係る表示装置の通知例を示す図である。なお、図９では、ビーコン信号を発信した時間を時系列にグラフ化している。
【００７０】
本実施の形態では、通知部１０５Ｂ（不図示）は、１以上の位置それぞれにおいて検出部１０４が検出したすべての電波強度を表示装置２６に通知することで、表示装置２６に１以上の位置それぞれにおけるすべての電波強度を表示させる。
【００７１】
表示装置２６は、通知された電波強度に基づき、子機の電波環境を表示する。より具体的には、表示装置２６は、例えば図９に示すように、表示部２６１で、親機である無線機器１０の１以上の位置それぞれにおけるすべての子機の応答信号の電波強度を表示する。
【００７２】
［効果］
ユーザは、表示部２６１により、図９に示されるように、無線機器１０を移動した１以上の位置における子機の電波環境（すべての電波強度）を知ることができる。そのため、ユーザは、１以上の位置それぞれにおけるすべての子機の電波強度のうち最も小さい電波強度を確認し、１以上の位置にわたる最も小さい電波強度の極大値を確認することで、その極大値に対応するＡ点やＢ点の位置が複数の子機に対する親機（無線機器１０）の最適な配置位置だとわかる。なお、ユーザは、無線機器１０を移動しながら、これら受信強度を無線機器に受信させているので、時系列から、移動位置が大よそであるがわかる。
【００７３】
このようにして、ユーザは、無線機器１０を移動した複数の位置における子機の電波環境を知ることができるので、各位置における複数の子機の電波強度のうち最も低い電波強度に基づいて、インフラストラクチャーモードの無線通信環境で、安定的な接続維持を期待する複数の子機に対する最適な親機（無線機器１０）の配置位置を容易に見つけることができる。
【００７４】
（実施の形態４）
実施の形態４では、無線機器にカメラ機能を搭載した場合の例について、説明する。
【００７５】
［無線機器の構成］
図１０は、実施の形態４に係る無線機器の構成の一例を示す図である。
【００７６】
図１０に示す無線機器３０は、発信部１０１と、デュレーション設定部１０２と、受信部１０３と、検出部１０４と、通知部３０５と、保持部３０６と、撮影部３０７とを備える。
【００７７】
本実施の形態に係る無線機器３０は、実施の形態１に係る無線機器１０に対して、通知部３０５の構成が異なり、保持部３０６と、撮影部３０７とが追加されている。
【００７８】
保持部３０６は、１以上の位置それぞれにおいて検出部１０４が検出した電波強度のすべてを保持している。
【００７９】
撮影部３０７は、１以上の位置それぞれにおいて、上記１以上の位置それぞれに関する画像を撮影する。撮影部３０７は、撮影した画像を保持部３０６に保存する。
【００８０】
なお、撮影部３０７は、１以上の位置それぞれに関する画像を撮影する場合に限らず、無線機器３０の移動中にわたる画像（動画像）を撮影するとしてもよい。
【００８１】
通知部３０５は、１以上の位置それぞれにおいて検出部１０４が検出したすべての電波強度であって１以上の位置それぞれでの電波強度を通知する。
【００８２】
より具体的には、通知部３０５は、保持部３０６に保持されているすべての電波強度とともに、撮影部３０７で撮影された上記１以上の位置それぞれに関する画像を、表示装置２６に通知する。それにより、表示装置２６に、上記１以上の位置それぞれでの電波強度と上記１以上の位置のうちの一の位置に関する画像とを表示させることができる。
【００８３】
次に、無線機器３０により通知された情報を表示装置２６が表示してユーザに通知する場合の例について説明する。
【００８４】
図１１は、実施の形態４に係る表示装置の通知例を示す図である。
【００８５】
表示装置２６は、通知された電波強度と画像とに基づき、子機の電波環境とこの電波環境にリンクされた一の場所（位置）に関する画像を表示する。
【００８６】
ここで、例えば、表示装置２６は、無線機器３０の配置位置を決めるための情報として、１以上の位置それぞれにおける検出部１０４が検出した電波強度のうち最も小さい電波強度の中で、極大値を示す電波強度に対応する位置に関する画像を表示する。より具体的には、表示部２６１は、例えば図１１に示すように、画面領域３０８に、親機である無線機器３０の１以上の位置それぞれにおけるすべての子機の応答信号の電波強度を表示するともに、画面領域３０９に１以上の位置のうちの一の位置に関する画像を表示する。
【００８７】
なお、図１１の画面領域３０８では、実施の形態３と同様に、ビーコン信号を発信した時間を時系列にグラフ化している。ユーザは、無線機器３０を移動しながら、これら受信強度を無線機器に受信させている。
【００８８】
また、本実施の形態では、さらに、画面領域３０８に表示される１以上の位置（横軸）に対応づけられた（リンクされた）スクロールバー３１０とカーソルボタン３１１とが表示される。このカーソルボタン３１１を、１以上の位置において最も小さい電波強度の極大値に対応するＡ点にあわせると、そのＡ点に関する画像が画面領域３０９に表示される。それにより、ユーザは、複数の子機に対する親機（無線機器３０）の最適な配置位置（図ではＡ点またはＢ点）とともに、その配置位置がどの場所かわかる。
【００８９】
［効果］
以上のように、ユーザは、表示部２６１により、図１１に示されるように、無線機器３０を移動した１以上の位置にわたる子機の電波環境（すべての電波強度）を知ることができる。そのため、ユーザは、１以上の位置それぞれにおける子機の電波強度のうち最も小さい電波強度を確認し、１以上の位置にわたる最も小さい電波強度の極大値を確認することができる。
【００９０】
そして、確認した極大値に対応するスクロールバー３１０の位置にカーソルボタン３１１をあわせることで、その極大値に対応する位置に関する画像が画面領域３０９に表示されるので、複数の子機に対する親機（無線機器１０）の最適な配置位置が具体的にわかる。
【００９１】
このように、無線機器３０にカメラ機能を搭載することで、インフラストラクチャーモードの無線通信環境で、各位置における複数の子機の電波強度のうち最も低い電波強度に基づいて、安定的な接続維持を期待する複数の子機に対する最適な親機（無線機器１０）の配置位置を容易に見つけることができる。
【００９２】
なお、本実施の形態では、無線機器３０とは別の表示装置２６が有する表示部２６１を用いる場合について説明したがそれに限らない。例えば、無線機器３０が表示部２６１を備えるとしてもよい。
【００９３】
また、本実施の形態では、無線機器３０が撮影部３０７を備えるとして説明したが、それに限らない。無線機器３０は、撮影部３０７を備えない場合、例えばＵＳＢ接続可能なＷｅｂカメラに接続されるとしてもよく、１以上の位置それぞれにおいて、上記１以上の位置それぞれに関する画像を撮影することができればその構成は問わない。
【００９４】
（実施の形態５）
実施の形態４では、ユーザに無線機器の最適な配置位置を提示するために無線機器にカメラ機能を搭載する場合について説明したが、それに限らない。実施の形態５では、ユーザに無線機器の最適な配置位置を提示するために無線機器の移動した軌跡を提示する場合の例について、説明する。
【００９５】
［無線機器の構成］
図１２は、実施の形態５に係る無線機器の構成の一例を示す図である。図１３は、実施の形態５に係るセンサ部の詳細構成の一例を示す図である。
【００９６】
図１２に示す無線機器４０は、発信部１０１と、デュレーション設定部１０２と、受信部１０３と、検出部１０４と、通知部４０５と、保持部４０６と、センサ部４０８と、位置推定部４０９と、を備える。
【００９７】
本実施の形態に係る無線機器４０は、実施の形態１に係る無線機器１０に対して、通知部４０５の構成が異なり、保持部４０６と、センサ部４０８と、位置推定部４０９とが追加されている。
【００９８】
保持部４０６は、１以上の位置それぞれにおいて検出部１０４が検出した電波強度のすべてを保持している。
【００９９】
センサ部４０８は、図１３に示すように、加速度センサ４０８１とジャイロセンサ４０８２とを備えている。ここで、加速度センサ４０８１は、３軸加速度センサで構成され、ジャイロセンサ４０８２は、３軸ジャイロセンサで構成されている。
【０１００】
位置推定部４０９は、加速度センサおよびジャイロセンサを用いて、１以上の位置それぞれを推定する。位置推定部４０９は、推定した位置（推定位置）を保持部４０６に保存する。
【０１０１】
なお、位置推定部４０９は、１以上の位置として、無線機器４０の移動中すべての位置を推定しながら、その推定位置を保持部４０６に保存するとしてもよい。
【０１０２】
通知部４０５は、１以上の位置それぞれにおいて検出部１０４が検出したすべての電波強度であって１以上の位置それぞれでの電波強度を通知する。
【０１０３】
より具体的には、通知部４０５は、保持部４０６に保持されているすべての電波強度とともに、位置推定部４０９で推定された上記１以上の位置の推定位置すべてを、表示装置２６に通知する。それにより、表示装置２６に、上記１以上の位置それぞれでの電波強度と上記１以上の位置（推定位置）を含む軌跡とを表示させることができる。
【０１０４】
なお、軌跡は、通知された推定位置を積分することで算出できる。
【０１０５】
次に、無線機器４０により通知された情報を表示装置２６が表示してユーザに通知する場合の例について説明する。
【０１０６】
図１４は、実施の形態５に係る表示装置の通知例を示す図である。
【０１０７】
表示装置２６は、通知された電波強度と推定位置とに基づき、子機の電波環境とこの電波環境にリンクされた軌跡を表示する。
【０１０８】
ここで、例えば、表示装置２６は、無線機器４０の配置位置を決めるための情報として、１以上の位置それぞれにおける検出部１０４が検出した電波強度のうち最も小さい電波強度の中で、極大値を示す電波強度とともに、極大値を示す電波強度に対応する軌跡の位置を指し示す。より具体的には、表示部２６１は、例えば図１４に示すように、画面領域３０８に、親機である無線機器４０の１以上の位置それぞれにおけるすべての子機の応答信号の電波強度を表示するともに、画面領域４１０に１以上の位置を含む軌跡の画像を表示する。
【０１０９】
なお、図１４の画面領域３０８では、実施の形態２および３と同様に、ビーコン信号を発信した時間を時系列にグラフ化している。ユーザは、無線機器４０を移動しながら、これら受信強度を無線機器に受信させている。
【０１１０】
また、本実施の形態では、さらに、画面領域３０８に表示される１以上の位置（横軸）に対応づけられた（リンクされた）スクロールバー４１１とカーソルボタン４１２とが表示される。このカーソルボタン４１２を、１以上の位置において最も小さい電波強度の極大値に対応するＡ点にあわせると、そのＡ点に対応する軌跡上の位置（対応位置）が画面領域４１０に表示される。それにより、ユーザは、複数の子機に対する親機（無線機器３０）の最適な配置位置（図ではＡ点またはＢ点）とともに、軌跡における対応位置から配置位置がどの場所か推測できる。
【０１１１】
［効果］
以上のように、ユーザは、表示部２６１により、図１４に示されるように、無線機器４０を移動した１以上の位置にわたる子機の電波環境（すべての電波強度）を知ることができる。そのため、ユーザは、１以上の位置それぞれにおける子機の電波強度のうち最も小さい電波強度を確認し、１以上の位置にわたる最も小さい電波強度の極大値を確認することができる。
【０１１２】
そして、確認した極大値に対応するスクロールバー４１１の位置にカーソルボタン４１２をあわせることで、その極大値に対応する軌跡上の位置が画面領域４１０に表示されるので、複数の子機に対する親機（無線機器４０）の最適な配置位置が具体的にわかる。
【０１１３】
このように、無線機器４０に位置推定機能を搭載することで、インフラストラクチャーモードの無線通信環境で、各位置における複数の子機の電波強度のうち最も低い電波強度に基づいて、安定的な接続維持を期待する複数の子機に対する最適な親機（無線機器４０）の配置位置を容易に見つけることができる。
【０１１４】
なお、本実施の形態では、無線機器４０とは別の表示装置２６が有する表示部２６１を用いる場合について説明したがそれに限らない。例えば、無線機器４０が表示部２６１を備えるとしてもよい。
【０１１５】
以上のように、本実施の形態によれば、電波強度のうちの一つの電波強度であって１以上の位置それぞれでの電波強度が通知されるので、インフラストラクチャーモードの無線通信環境で、複数の子機に対する親機の最適な配置位置を容易に見つけることができる。
【０１１６】
（他の実施の形態）
以上、本発明の実施の形態に係る無線機器について説明したが、本発明は、この実施の形態に限定されるものではない。
【０１１７】
（１）上記実施の形態２では、１以上の位置それぞれにおける電波強度のうち最も小さい電波強度を表示する場合の例について説明したが、これに限るものではない。
【０１１８】
例えば、図５の機器リストに子機の重み付けを設定する、すなわち、子機の優先度を設定するとしてもよい。この場合、例えば図８に示す電波強度において、優先度の高い子機のグラフに色や強調線等を施すなどして、ユーザがより識別しやすい表示を行うとしてもよい。それにより、優先度が高い子機（機器）の電波強度がより大きくなる親機（無線機器１０）の配置位置も容易に見つけることができる。
【０１１９】
（２）上記実施の形態３では、１以上の位置それぞれについて検出部１０４が検出した電波強度すべてをユーザに通知する場合の例について説明したが、これに限るものではない。例えば、検出部１０４が検出した電波強度のうち優先度の高い子機の電波強度のみをグラフに表示するとしてもよい。それによりユーザは、優先度が高い子機（機器）の電波強度がより大きくなる親機（無線機器１０）の配置位置も容易に見つけることができる。この一例について図１５を用いて説明する。図１５は、他の実施の形態に係る表示装置の通知例を示す図である。
【０１２０】
例えば、ユーザは、図１に示す別々の部屋のＳＴＢ１２（ｄｄｄＳＴＢ）とノートＰＣ（ｅｅｅ）を優先度の高い子機として設定していたとする。この場合には、例えば図１５に示すように、表示部２６１で、親機である無線機器１０の１以上の位置それぞれにおけるすべての位置にわたる電波強度のうち優先度の高い２つの子機の応答信号の電波強度を表示するとしてもよい。また、親機である無線機器１０の１以上の位置それぞれにおけるすべての位置にわたる最も小さい電波強度を薄灰色線等でさらに示されるとしてもよい。それにより、Ｃ点やＤ点の位置が優先度の高い子機（機器）に対する親機（無線機器１０）の最適な配置位置だとわかる。なお、Ｃ点やＤ点が親機（無線機器１０）の最適な配置位置であることをユーザが容易に判断できるように、おすすめ配置としてＣ点やＤ点の周囲を枠に囲むなどＣ点やＤ点に装飾を施すとしてもよい。このようにして、ユーザは親機の最適な配置位置を簡単に判断できる。
【０１２１】
（３）上記実施の形態４においても、（２）と同様に優先度の高い子機の電波強度のみをグラフに表示するとしてもよい。図１６は、他の実施の形態に係る表示装置の通知例を示す図である。すなわち、図１６の３０８Ａに示すように、親機である無線機器１０の１以上の位置それぞれにおけるすべての子機の応答信号の電波強度のうち優先度の高い２つの子機の応答信号の電波強度を表示するとしてもよい。また、Ｃ点やＤ点が親機（無線機器１０）の最適な配置位置であることをユーザが容易に判断できるように、おすすめ配置としてスクロールバー３１０内に枠３１２および枠３１３などを表示してもよい。このようにして、ユーザは親機の最適な配置位置を簡単に判断できる。
【０１２２】
（４）また、上記実施の形態５においても、（２）と同様に優先度の高い子機の電波強度のみをグラフに表示するとしてもよい。図１７は、他の実施の形態に係る表示装置の通知例を示す図である。すなわち、図１７の３０８Ａに示すように、親機である無線機器１０の１以上の位置それぞれにおけるすべての子機の応答信号の電波強度のうち優先度の高い２つの子機の応答信号の電波強度を表示するとしてもよい。そして、Ｃ点やＤ点が親機（無線機器１０）の最適な配置位置であることをユーザが容易に判断できるように、おすすめ配置としてスクロールバー４１１内に枠４１３および枠４１３を表示してもよい。このようにして、ユーザは親機の最適な配置位置を簡単に判断できる。
【０１２３】
（５）また、上記実施の形態１〜５では、無線機器が、無線通信の規格として、ＩＥＥＥ８０２．１１（ａ／ｂ／ｇ／ｎ）を用いる場合について説明したが、これに限るものではない。他の無線規格でも同様の課題を有していれば、本願の発明を適用できる。
【０１２４】
（６）また、上記の各部は、具体的には、マイクロプロセッサ、ＲＯＭ、ＲＡＭ、ハードディスクドライブ、ディスプレイユニット等などから構成されるコンピュータシステムとして構成されても良い。ＲＡＭまたはハードディスクドライブには、コンピュータプログラムが記憶されている。マイクロプロセッサが、コンピュータプログラムに従って動作することにより、各部は、その機能を達成する。ここでコンピュータプログラムは、所定の機能を達成するために、コンピュータに対する指令を示す命令コードが複数個組み合わされて構成されたものである。
【０１２５】
さらに、上記の各部を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１２６】
さらにまた、上記の各部を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１２７】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０１２８】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【０１２９】
また、本発明は、上記コンピュータプログラムまたは上記デジタル信号を、電気通信回線、無線または有線通信回線、インターネットを代表とするネットワーク、データ放送等を経由して伝送するものとしても良い。
【０１３０】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１３１】
また、上記プログラムまたは上記デジタル信号を上記非一時的な記録媒体に記録して移送することにより、または上記プログラムまたは上記デジタル信号を、上記ネットワーク等を経由して移送することにより、独立した他のコンピュータシステムにより実施するとしても良い。
【０１３２】
さらに、上記実施の形態及び上記変形例をそれぞれ組み合わせるとしても良い。
【産業上の利用可能性】
【０１３３】
本発明は、無線機器に利用でき、特に、ＩＥＥＥ８０２．１１を使用して、配置位置を決定するアクセスポイントや親機などの無線機器に利用することができる。
【符号の説明】
【０１３４】
１  空間
１０、３０、４０  無線機器
１１  ＴＶ
１２  ＳＴＢ
１３  ノートＰＣ
１４  プリンター
１５  携帯端末
１６  バー表示器
２６  表示装置
１０１  発信部
１０２  デュレーション設定部
１０３  受信部
１０４  検出部
１０５、３０５、４０５  通知部
１０６、３０６、４０６  保持部
２６１  表示部
２６２  演算部
３０７  撮影部
３０８、３０８Ａ、３０９、４１０、４１０Ａ  画面領域
３１０、４１１  スクロールバー
３１１、４１２  カーソルボタン
３１２、３１３、４１３、４１４  枠
４０８  センサ部
４０９  位置推定部
４０８１  加速度センサ
４０８２  ジャイロセンサ
【図１】
2015119268.tif 000003
【図２】
2015119268.tif 000004
【図３Ａ】
2015119268.tif 000005
【図３Ｂ】
2015119268.tif 000006
【図４】
2015119268.tif 000007
【図５】
2015119268.tif 000008
【図６】
2015119268.tif 000009
【図７】
2015119268.tif 000010
【図８】
2015119268.tif 000011
【図９】
2015119268.tif 000012
【図１０】
2015119268.tif 000013
【図１１】
2015119268.tif 000014
【図１２】
2015119268.tif 000015
【図１３】
2015119268.tif 000016
【図１４】
2015119268.tif 000017
【図１５】
2015119268.tif 000018
【図１６】
2015119268.tif 000019
【図１７】
2015119268.tif 000020